(57)【要約】【課題】ランプイメージを抑えつつ、光の出射面における輝度の低下を防ぐことができる直下型バックライトを提供する。【解決手段】拡散板５の背後に光源７が備わった直下型バックライト２において、前記拡散板５は、それ自体が光拡散性を有する板状の拡散性基材層５１と、当該拡散性基材層５１の光源７側の入射面５２及び当該入射面５２の反対面である出射面５３の少なくとも一方の面に形成された拡散ビーズ層５４とを有している。【選択図】      図１
2004235103.tif 000002
【特許請求の範囲】
【請求項１】
拡散板の背後に光源が備わった直下型バックライトにおいて、
前記拡散板は、それ自体が光拡散性を有する板状の拡散性基材層と、当該拡散性基材層の光源側の入射面及び当該入射面の反対面である出射面の少なくとも一方の面に形成された拡散ビーズ層と、を有していることを特徴とする直下型バックライト。
【請求項２】
前記拡散ビーズ層の厚さは、５０μｍ程度以下であることを特徴とする請求項１記載の直下型バックライト。
【請求項３】
前記拡散ビーズ層は、前記入射面及び出射面のいずれか一方の面に形成され、他方の面にはシボが形成されていることを特徴とする請求項１又は請求項２記載の直下型バックライト。
【請求項４】
前記拡散板には、耐光剤が塗布又は混入されていることを特徴とする請求項１〜３のいずれかに記載の直下型バックライト。
【請求項５】
底面部と当該底面部の周縁から立設した側面部とを有し、前記拡散板によって覆われる開口が形成されたケーシングを備え、
前記側面部は、前記拡散板の周縁に形成された凹凸部に係合して当該拡散板を位置固定する固定部を備え、
前記固定部は、前記側面部においてケーシング内外に連通する隙間が生じないように前記側面部から突出していることを特徴とする請求項１〜４のいずれかに記載の直下型バックライト。
【請求項６】
前記側面部は、前記底面部の周縁から立設した立設部と、当該立設部の立設端から外方に延設されて前記拡散板が載置される台部と、前記台部の延設端から立設された縁部と、を有し、
前記固定部は、前記台部又は前記縁部に設けられていることを特徴とする請求項５に記載の直下型バックライト。
【発明の詳細な説明】
【０００１】
【発明の属する技術分野】
本発明は、直下型バックライトに関するものである。
【０００２】
【従来の技術】
液晶表示装置用バックライトは、光源の配置の仕方に基づいて大別するとサイド型と直下型に分けられる。サイド型は、光を導く導光板の側部に光源を配置したものであり、直下型は光を拡散させる拡散板の背後（直下）に光源を配置したものである（例えば、特許文献１参照）。
【０００３】
ここで、従来の一般的な直下型バックライトを図面により説明する。
図１３に示すように、液晶表示装置用バックライト１００の場合、ケーシング１０１と、拡散板１０２と、ケーシング１０１内部の光源１０３と、光源１０３が接続されるインバータ１０４と、拡散板１０２の表面に重ね置きされた拡散シート等の光学シート１０５等を備えている。
【０００４】
前記光源１０３としては、高い輝度を得るために、複数のランプを使用するのが一般的である。また、光源１０３の背後に位置するケーシング１０１底部には、反射層１０１ａが形成される。この反射層１０１ａは、光源１０３から出射した光のうち、拡散板１０２側とは反対に照射された光を拡散板１０２側に反射して、光の効率を高めている。
また、液晶用バックライトの場合、省電力化・薄型化が求められるため、蛍光ランプとしては、照明用として広く用いられている熱陰極管ではなく、管径を小さくでき消費電力も少ない冷陰極管が採用されている。
【０００５】
【特許文献１】
特開平１１−２９５７３１号公報（第１図）
【０００６】
【発明が解決しようとする課題】
直下型バックライトに用いる拡散板は、ランプイメージを効果的に緩和するために、アクリルやポリカーボネイト等の樹脂板に拡散剤を混ぜた乳白色のものが一般的に採用されている。
この拡散板のランプイメージは、拡散板を通過する光の透過率と拡散板の出射面における輝度とに密接な関係がある。具体的には、透過率が高いと出射面の輝度が高く、ランプイメージが見えやすい。逆に透過率が低いと輝度が低く、ランプイメージが緩和される。
【０００７】
また、直下型バックライトの薄型化を図ろうとすると、拡散板と光源の間隔が小さくなるため、よりランプイメージが生じ易くなる。
すなわち、薄型の直下型バックライトでは、ランプイメージによる発光むらを解消しようとすると、透過率の低い拡散板を使用する必要があり、結果として、輝度の低下をもたらす問題があった。
上記のような従来の問題点に鑑み、本発明は、ランプイメージを抑えつつ、光の出射面における輝度の低下を防ぐことができる直下型バックライトを提供することを目的とする。
【０００８】
また、直下型バックライトの光源である蛍光ランプは、電気エネルギーから光への変換効率が低いため、電極付近において無駄なエネルギーが発熱として消費され、電極付近が熱くなる。特に、冷陰極管の場合、電極付近における光の変換効率が熱陰極管に比べて低いため、発熱が大きく電極付近の温度が１００℃程度になることがある。
【０００９】
ここで、熱に対する考慮がなされた従来の直下型バックライトについて図を用いて説明する。
図１４に示すように、この直下型バックライト２０１は、底面部２０２と側面部２０３を有するケーシング２０４と、ケーシング２０４内部の光源２０５と、拡散板２０６とを備えている。
側面部２０３は、底面部２０２の２辺の周縁に立設された立設部２０７と、前記立設部２０７の立設端に底面部２０２に対して平行で外方に延設された台部２０８と、前記台部２０８の延設端に底面部２０２に対して垂直上方に立設された縁部２０９とを有している。
【００１０】
また、台部２０８の長手方向中央には、拡散板２０６を位置固定する固定部２１０が設けられている。
一方、拡散板２０６には、光源２０５と平行な辺の縁部中央に固定部２１０と係合する矩形状の切欠部２１１が設けられている。
ケーシング２０４には例えば、放熱性の高いアルミニウム等の金属を板金加工して用いられている。この板金加工は、１枚板を折り曲げて加工されており、図１５に示すように、固定部２１０も台部２０８が切り起こされて形成されていた。このため、台部２０８に切り起こされた固定部２１０のところでは、台部２０８及び縁部２０９が非連続になって隙間２１２が生じていた。
この隙間２１２は、ケーシング２０４の内部と外部を連通するので、空気中のほこり等の異物が侵入する経路となっていた。
【００１１】
また、直下型バックライト内部の空気は、光源の点灯によって熱が供給されて膨張し、消灯することによって熱が絶たれて収縮する。この時、一定容積の直下型バックライト内部において、膨張した体積分の空気は、直下型バックライト内部から外部へ前述の隙間を通じて流出し、その後、消灯によって収縮した体積分の空気が、直下型バックライトの外部から内部へ隙間を通じて流入する。
この流入する空気には、通常の空気中に浮遊するほこり等の異物も含まれている。流入したほこり等の異物は、拡散板の入射面に付着し、光の拡散や透過を阻害し、拡散板の出射面における輝度を低下させる要因となっていた。更に、ほこり等の異物は、拡散板の入射面に部分的に付着し易く、その付着部分が拡散板の出射面において暗部となり、発光むらの要因にもなっていた。
そこで、本発明の他の目的は、固定部を設けることによる隙間によってケーシング内に異物が侵入するのを防止することにある。
【００１２】
【課題を解決するための手段】
本発明は、拡散板の背後に光源が備わった直下型バックライトにおいて、前記拡散板は、それ自体が光拡散性を有する板状の拡散性基材層と、当該拡散性基材層の光源側の入射面及び当該入射面の反対面である出射面の少なくとも一方の面に形成された拡散ビーズ層と、を有している。
本発明によれば、拡散板の拡散性基材層による拡散効果と、拡散性基材層に形成された拡散ビーズ層による拡散効果との相乗効果が得られるので、ランプイメージを抑えつつ、光の出射面における輝度の低下を防ぐことができる。
【００１３】
また、前記拡散ビーズ層の厚さは、５０μｍ程度以下であるのが好ましい。
厚さが厚くなれば層厚にバラツキが生じやすく、拡散ビーズ層の拡散効果にむらが生じるが、層厚を５０μｍ程度以下とすることで、拡散効果のむらを防止できる。
【００１４】
また、前記拡散ビーズ層は、前記入射面及び出射面のいずれか一方の面に形成され、他方の面にはシボが形成されているのが好ましい。
この場合、シボによる凹凸が拡散効果を助けるので、ランプイメージを抑えることができる。
【００１５】
また、前記拡散板には、耐光剤が塗布又は混入されているのが好ましい。
この場合、耐光剤が紫外線を吸収するので、拡散板の劣化を防ぐことができる。
【００１６】
底面部と当該底面部の周縁から立設した側面部とを有し、前記拡散板によって覆われる開口が形成されたケーシングを備え、前記側面部は、前記拡散板の周縁に形成された凹凸部に係合して当該拡散板を位置固定する固定部を備え、前記固定部は、前記側面部においてケーシング内外に連通する隙間が生じないように前記側面部から突出している。
この発明によれば、拡散板は、ケーシングの側面部に突出して形成された固定部によって位置固定される。また、ケーシングの側面部には、ケーシングの内外と連通する隙間が生じないので、ほこり等の異物の侵入を防ぐことができる。
【００１７】
また、前記側面部は、前記底面部の周縁から立設した立設部と、当該立設部の立設端から外方に延設されて前記拡散板が載置される台部と、前記台部の延設端から立設された縁部とを有し、前記固定部は、前記台部又は前記縁部に設けられているのが好ましい。
この場合も、拡散板は、固定部によって位置固定され、ケーシングの台部及び縁部には、ケーシングの内外と連通する隙間が生じないので、ほこり等の異物の侵入を防ぐことができる。
【００１８】
【発明の実施の形態】
以下、本発明の直下型バックライトを示す好ましい実施形態について、図面を参照しながら説明する。
図１は、本発明の第一実施形態に係る直下型バックライト２を用いた液晶表示装置１を示す。
図１に示すように、この液晶表示装置１は、直下型バックライト２の他に、文字や画像を表示する液晶パネル３と、発光品位を整えるための光学シート４とで構成され、液晶テレビ又はコンピュータ用液晶ディスプレイ等として用いられるものである。
【００１９】
液晶パネル３は、直下型バックライト２が背後に位置するように設置され、直下型バックライト２における面状光がほぼ均一に当該パネル３に照射される。このため、直下型バックライト２は、液晶表示装置１の画面寸法よりも大きく形成されている。
また、光学シート４は、発光品位を整えるための拡散シート、レンズシート、偏光シート等が、液晶パネル３と直下型バックライト２の間に必要に応じて配設される。
【００２０】
直下型バックライト２は、例えば、樹脂からなる拡散板５が一面に取り付けられたケーシング６内部に、複数の光源７が配置されている。
ケーシング６は、放熱を考慮した例えばアルミ製で、矩形状の底面部６１と底面部６１の周縁に立設された側面部６２を有する一面が開口した薄箱状に形成されている。
前記底面部６１の内面は、光源７の光を拡散板５に向かって反射する反射面を備えており、例えば、合成樹脂フィルム又はアルミニウム等の金属薄膜により構成された反射シート６１ａが設けられている。
この反射シート６１ａは、光源７側の表面が例えば白色に塗装されて上記光を拡散板５側に効率よく反射し、当該光の利用効率及び拡散板５での輝度を高めている。
【００２１】
拡散板５の背後に配置された光源７は、細長い線状光源であり、具体的には、冷陰極管タイプの蛍光ランプである。これら蛍光ランプ７は、複数本が略等しい間隔で平行に配置されている。
冷陰極管タイプの蛍光ランプ７は、径が細く、直下型バックライト２の薄型化に適しているが、電極部分からの発熱が大きいものであり、多数の蛍光ランプ７を設けると、発熱によってケーシング６内部の温度が非常に高くなる。
また、蛍光ランプ７は、電極から飛び出した電子によって励起された水銀等が紫外線７１を放出し、この紫外線７１が管内側の蛍光体に当たって可視光を生ずるものであるため、蛍光ランプ７からは若干の紫外線７１が発生する。この蛍光ランプ７から照射される紫外線７１によって、直下型バックライト２内部の構成部材は、劣化し易い。
【００２２】
前記拡散板５は、例えば、アクリルやポリカーボネイト等の樹脂板で、拡散剤が混入された光拡散性を有する拡散性基材層５１と、拡散性基材層５１の蛍光ランプ７側の入射面５２と、入射面５２の反対面である出射面５３とを備えている。
拡散性基材層５１の厚さは、０．５〜３ｍｍが好ましく、この厚さ以上になると、自重が増加し、その自重によるたわみが生じる等の弊害が生じる場合がある。また、逆に厚さが薄すぎると、光の透過率を低くすることが難しくなり、ランプイメージの緩和が困難になる。その結果、直下型バックライト２の厚みが増す、蛍光ランプ７の本数を増やす等の対策が必要となる。
【００２３】
図２に、第一実施形態の拡散板５の部分断面図を示す。
図２に示すように、拡散板５は、その拡散基材層５１の入射面に設けられた鏡面状の平坦面５６と、出射面５３に設けられた光拡散性を有する拡散ビーズ層５４とを備えている。
この場合の拡散板５によれば、拡散性基材層５１の拡散効果と、拡散ビーズ層５４による拡散効果との相乗効果が得られ、拡散基材層５１の光の透過率をそれほど落とさなくてもランプイメージを改善でき、光の出射面における輝度の低下も防ぐことができる。
【００２４】
拡散ビーズ層５４は、拡散板５の出射面５３に例えば、塗布されて形成された拡散ビーズコート層で、透明な大小様々な粒径の例えば、樹脂やガラス等からなる拡散ビーズ５４ａと、拡散ビーズ５４ａを定着させるバインダー５４ｂとを備えている。この拡散ビーズ５４ａは、拡散シートに使用される拡散ビーズと同様のものである。
拡散ビーズコート層５４の表面は、拡散ビーズ５４ａによる凹凸を有するので、液晶パネル３と拡散板５との間に配置される光学シート４が密着するのを防止することができる。
【００２５】
また、拡散ビーズコート層５４の厚さは、５０μｍ程度までが良く、更に１０〜３０μｍが良い。これによって、塗厚が厚くなることで生じる層厚のバラツキを抑え、拡散効果のむらを防ぐことができる。
更に、拡散ビーズ５４ａは、指向性の高いものを使用し、拡散板５に対して垂直方向に光を向けるようにすることで、拡散ビーズコート層５４を設けない従来の拡散板５の輝度に比べて３０％程度の向上が期待できる。この場合には、光学シート４を省略できるので、直下型バックライト２のコストダウンにも寄与することができる。
また、拡散性基材層５１の素材は、気泡を有する発泡体で形成されても良い。
この場合も、上述と同様の効果が得られる。
【００２６】
また、上述の拡散性基材層５１及び拡散ビーズコート層５４には、紫外線７１を吸収する耐光剤５４ｂが塗布又は混入されることで、蛍光ランプ７から照射される紫外線７１による拡散板５の劣化を防止することができる。但し、拡散ビーズコート層５４については、その表面に塗布すると効果が損なわれ易いので、拡散ビーズ５４ａの内部に耐光剤５４ｂを混入するのが最も良い。また、混入が困難である場合は、塗布する前の拡散ビーズ５４ａの状態で耐光剤５４ｂを均一に塗り、その後、拡散板５に拡散ビーズ５４ａを塗布すると良い。
【００２７】
図３に、第二実施形態の拡散板５の部分断面図を示す。
図３に示すように、拡散板５は、その拡散性基材層５１の入射面５２に設けられた凹凸を有するシボ５５と、出射面５３に設けられた拡散ビーズコート層５４とを備えている。
この場合の拡散板５によれば、シボ５５による凹凸が、鏡面状の平坦面５６の場合よりも光の拡散効果を助けるので、ランプイメージの緩和に効果的である。
【００２８】
図４に、第三実施形態の拡散板５の部分断面図を示す。
図４に示すように、拡散板５は、その拡散性基材層５１の入射面５２に設けられた拡散ビーズコート層５４と、出射面に設けられた鏡面状の平坦面５６とを備えている。
この場合の拡散板５によれば、拡散ビーズコート層５４を設けない従来の拡散板５に比べ、ランプイメージの改善が期待できる。
【００２９】
図５に、第四実施形態の拡散板５の部分断面図を示す。
図５に示すように、拡散板５は、その拡散性基材層５１の入射面５２に設けられた拡散ビーズコート層５４と、出射面５３に設けられたシボ５５とを備えている。
この場合の拡散板５によれば、シボ５５の凹凸によって、ランプイメージの緩和が促進され、しかも液晶パネル３と拡散板５との間に配置される光学シート４の密着を防止することができる。
【００３０】
図６に、第五実施形態の拡散板５の部分断面図を示す。
図６に示すように、拡散板５は、その拡散性基材層５１の入射面５２と出射面５３の両面に拡散性ビーズコート層５４を備えている。
この場合の拡散板５によれば、互いの拡散ビーズコート層５４の相乗効果が得られる。
【００３１】
次に、ケーシング６２内部への異物の侵入を防止することができる直下型バックライト２の実施形態について説明する。
図７に、拡散板５がケーシング６に位置固定された直下型バックライト２の斜視図を示す。
この直下型バックライト２は、底面部６１と側面部６２を有するケーシング６と、ケーシング６の側面部６２に支持された拡散板５と、ケーシング６内部に収められた蛍光ランプ７とを備えている。
【００３２】
ケーシング６の側面部６２は、蛍光ランプ７と平行な底面部６１の２辺周縁から末広がりに傾斜して立設した立設部６２ａと、前記立設部６２ａの立設端に底面部６１に対して平行で外方に延設された台部６２ｂと、前記台部６２ｂの延設端に底面部６１に対して垂直上方に立設された縁部６２ｃとを有している。
台部６２ｂは、拡散板５を支持して底面部６１との距離を所定寸法に保持し、縁部６２ｃは、拡散板５の水平方向の位置ズレを防止する。
また、台部６２ｂの長手方向中央には、拡散板５を位置固定する固定部８が、例えば、台部６２ｂからケーシング６の内部へ突出して設けられている。
一方、拡散板５には、蛍光ランプ７と平行な辺の縁部中央に、固定部８と係合する凹凸部として、例えば、内方に凹んだ切欠部５７が設けられている。
【００３３】
図８に示すように、固定部８は、ケーシング６の台部６２ｂの長手方向中央に円柱状のピン８１ａが一体的に形成されている。
拡散板５には、蛍光ランプ７と平行な辺の縁部中央にピン８１ａと係合するアーチ状の切欠部５７ａが設けられている。
このように、ピン８１ａと切欠部５７ａとが係合することで、拡散板５をケーシング６に位置固定することができる。
また、ケーシング６の台部６２ｂ及び縁部６２ｃには、ケーシング６の内外と連通する隙間が生じないので、ほこり等の異物の侵入を防ぐことができる。
【００３４】
図９は、固定部８の他の例を示す部分斜視図である。
図９に示すように、固定部８は、ケーシング６の台部６２ｂの長手方向中央に深絞りによって起伏した起伏部８１ｂが形成されている。
拡散板５には、蛍光ランプ７と平行な辺の縁部中央に起伏部８１ｂと係合する扇状の切欠部５７ｂが設けられている。
このように、起伏部８１ｂと切欠部５７ｂとが係合することで、拡散板５をケーシング６に位置固定することができる。
また、ケーシング６の台部６２ｂ及び縁部６２ｃには、ケーシング６の内外と連通する隙間が生じないので、ほこり等の異物の侵入を防ぐことができる。
【００３５】
図１０は、固定部８の他の例を示す部分斜視図である。
図１０に示すように、固定部８は、ケーシング６の縁部６２ｃの長手方向中央に所定の幅で切り欠かれた挿入部６３と、ケーシング６の外方から挿入部６３に装着された貼付片８３とを備えている。
この貼付片８３は、ケーシング６とは独立して形成され、挿入部６３を塞ぐ板状の蓋部８３ａと、蓋部８３ａの中央部に突起する直方体状の突起部８３ｂとを備えている。
拡散板５には、蛍光ランプ７と平行な辺の縁部中央に突起部８３ｂと係合する矩形状の切欠部５７ｃが形成されている。
【００３６】
このように、貼付片８３の突起部８３ｂと切欠部５７ｃが係合することによって、拡散板５をケーシング６に位置固定することができる。
また、縁部６２ｃに形成された挿入部６３は、貼付片８３の蓋部８３ａによって塞ぐことができる。よって、ケーシング６の内外と連通する隙間が生じないので、ほこり等の異物の侵入を防ぐことができる。
【００３７】
図１１は、固定部８の他の例を示す部分斜視図である。
図１１に示すように、固定部８は、ケーシング６の縁部６２ｃの長手方向中央に所定の幅で切り欠かれた挿入部６４と、ケーシング６の外方から挿入部６４に挿通された嵌合片８４とを備えている。
この嵌合片８４は、ケーシング６とは独立して形成され、一端がアーチ状に角取りされた角柱状の係合部８４ａと、他端に設けられた平面エの字形状の挟持部８４ｂとを備えている。
挟持部８４ｂは、可撓性を有する、例えば、ゴム、樹脂等からなり、ケーシング６の縁部６２ｃをその内外から挟持するとともに、縁部６２ｃの挿入部６４の隙間を塞ぐ。
拡散板５には、蛍光ランプ７と平行な辺の縁部中央に係合部８４ａと係合するアーチ状の切欠部５７ｄが形成されている。
【００３８】
このように、嵌合片８４の係合部８４ａと切欠部５７ｄが係合することによって、拡散板５をケーシング６に位置固定することができる。
また、縁部６２ｃに形成された挿入部６４は、嵌合片８４の挟持部８４ｂによって塞ぐことができる。よって、ケーシング６の内外と連通する隙間が生じないので、ほこり等の異物の侵入を防ぐことができる。
【００３９】
ここで、上述した蛍光ランプ７から照射される紫外線７１の性質について説明する。蛍光ランプ７から照射される紫外線７１には、白色光に比べ昆虫を誘引し易い性質がある。そのため、直下型バックライト２を有する例えば、図１２に示すシャウカステン９の場合、ケーシング６に形成した放熱用の空気孔９１から漏れる紫外線７１に昆虫が誘われ、シャウカステン９内部に侵入する場合がある。シャウカステン９内部に侵入した昆虫は、その内部を徘徊する様子が蛍光ランプ７によって投影され、観察面のチラツキとなる。また、昆虫の死骸が製品内部に残ることによってその死骸が影となって観察面に現れる。このような観察面に現れるチラツキや影は、その観察面を観察する者や患者に不快感を与える。
【００４０】
従って、ケーシング６に蛍光ランプ７から発生する熱を前記ケーシング６内部からその外部へ放散させる空気孔９を備えた直下型バックライト２において、前記蛍光ランプ７は、虫を誘引する紫外線７１がカットされた蛍光ランプ７で構成されるのが好ましい。
この場合、白熱電灯程度まで昆虫の誘引性が改善されるので、直下型バックライト２内部への昆虫の侵入を改善するとともに、直下型バックライト２が設置された周囲の環境をクリーンに保つことができる。
【００４１】
この紫外線７１がカットされた蛍光ランプ７には、紫外線７１をカットする、例えば、酸化チタン等からなる膜を蛍光ランプ７のガラス面の内面もしくは外面に設けたものがある。この場合、紫外線７１が蛍光ランプ７のガラス面から出射しないよう膜で紫外線７１を吸収するよりも、蛍光ランプ７の内部に反射して戻すのが良い。また、紫外線７１がカットされた蛍光ランプ７には、蛍光ランプ７に紫外線７１をカットするフィルムを巻くものもある。
【００４２】
なお、本発明は前記した実施形態に限定されるものではない。
【００４３】
【発明の効果】
本発明によれば、拡散基材層に拡散ビーズ層を設けることによって、ランプイメージを抑えつつ、光の出射面における輝度の低下を防ぐことができる。
また、拡散板を位置固定する固定部を、ケーシングの側面部に突出して設けることによって、ケーシング６の内外と連通する隙間が生じないようにすることができるので、ほこり等の異物の侵入を防ぐことができる。
【図面の簡単な説明】
【図１】第一実施形態に係る直下型バックライトを用いた液晶表示装置の断面図である。
【図２】第一実施形態に係る直下型バックライトの拡散板の部分断面図である。
【図３】第二実施形態に係る直下型バックライトの拡散板の部分断面図である。
【図４】第三実施形態に係る直下型バックライトの拡散板の部分断面図である。
【図５】第四実施形態に係る直下型バックライトの拡散板の部分断面図である。
【図６】第五実施形態に係る直下型バックライトの拡散板の部分断面図である。
【図７】ケーシングに拡散板が位置固定された直下型バックライトの斜視図である。
【図８】ケーシングに拡散板が位置固定された直下型バックライトの部分斜視図である。
【図９】固定部の他の例を示す部分斜視図である。
【図１０】固定部の他の例を示す部分斜視図である。
【図１１】固定部の他の例を示す部分斜視図である。
【図１２】シャウカステンの側面図である。
【図１３】直下型バックライトの断面図である。
【図１４】ケーシングに拡散板が位置固定された従来の直下型バックライトの斜視図である。
【図１５】ケーシングに拡散板が位置固定された従来の直下型バックライトの部分斜視図である。
【符号の説明】
２      直下型バックライト
５      拡散板
５１    拡散性基材層
５２    入射面
５３    出射面
５４    拡散ビーズ層（拡散ビーズコート層）
５４ｂ  耐光剤
５５    シボ
５７    切欠部（凹凸部）
６      ケーシング
６１    底面部（反射面）
６２    側面部
６２ａ  立設部
６２ｂ  台部
６２ｃ  縁部
７      光源（蛍光ランプ）
８      固定部
【図１】
2004235103.tif 000003
【図２】
2004235103.tif 000004
【図３】
2004235103.tif 000005
【図４】
2004235103.tif 000006
【図５】
2004235103.tif 000007
【図６】
2004235103.tif 000008
【図７】
2004235103.tif 000009
【図８】
2004235103.tif 000010
【図９】
2004235103.tif 000011
【図１０】
2004235103.tif 000012
【図１１】
2004235103.tif 000013
【図１２】
2004235103.tif 000014
【図１３】
2004235103.tif 000015
【図１４】
2004235103.tif 000016
【図１５】
2004235103.tif 000017